(57)【要約】【課題】リハビリの継続意欲を高めることのできるリハビリ計画を生成することを可能として継続的なリハビリを支援するリハビリ支援装置、リハビリ支援方法、及びリハビリ支援プログラムを提供する。【解決手段】患者は、予め決められた活動イベントの情報と、その活動イベントを行った場合における複数の身体部位毎の運動量の情報と、を対応付けたセットを複数記憶する活動イベント情報ＤＢ３２２の中から１つのセットを選択すると、自身のリハビリ計画情報に含まれる運動量が、選択したセットの活動イベントによってどの程度実現されるのかを、表示部１１に表示される画面１２Ａにて確認することができる。【選択図】図５
2020149321.tif 000002
【特許請求の範囲】
【請求項１】
予め決められた活動イベントの情報と、前記活動イベントを行った場合における複数の身体部位毎の運動量の情報と、を対応付けたセットを複数記憶する活動イベント情報データベースと、
リハビリ対象者におけるリハビリが必要とされる身体部位毎に必要な運動量を定めたリハビリ計画情報を取得するリハビリ計画情報取得部と、
前記複数の前記活動イベントの情報の中から前記リハビリ対象者により選択された前記活動イベントの情報を含む前記セットと前記リハビリ計画情報とに基づいて、前記リハビリ計画情報に含まれる前記運動量が前記選択された前記セットの前記活動イベントによってどの程度実現されるかを表示するための表示用情報を生成して出力する制御部と、を備えるリハビリ支援装置。
【請求項２】
請求項１記載のリハビリ支援装置であって、
前記制御部は、前記表示用情報として、前記選択された前記セットの前記活動イベントによって前記リハビリ計画情報に含まれる前記身体部位毎の前記運動量がそれぞれどの程度実現されるか、を表示するための情報を生成するリハビリ支援装置。
【請求項３】
請求項１又は２記載のリハビリ支援装置であって、
前記活動イベントは、ウォーキング、ジョギング、ランニング、サイクリング、登山、旅行、スポーツ、又は通院リハビリであるリハビリ支援装置。
【請求項４】
予め決められた活動イベントの情報と、前記活動イベントを行った場合における複数の身体部位毎の運動量の情報と、を対応付けたセットを複数記憶する活動イベント情報データベースにアクセス可能なコンピュータが、
リハビリ対象者におけるリハビリが必要とされる身体部位毎に必要な運動量を定めたリハビリ計画情報を取得するリハビリ計画情報取得ステップと、
前記複数の前記活動イベントの情報の中から前記リハビリ対象者により選択された前記活動イベントの情報を含む前記セットと前記リハビリ計画情報とに基づいて、前記リハビリ計画情報に含まれる前記運動量が前記選択された前記セットの前記活動イベントによってどの程度実現されるかを表示するための表示用情報を生成して出力する制御ステップと、を実行するリハビリ支援方法。
【請求項５】
予め決められた活動イベントの情報と、前記活動イベントを行った場合における複数の身体部位毎の運動量の情報と、を対応付けたセットを複数記憶する活動イベント情報データベースにアクセス可能なコンピュータに、
リハビリ対象者におけるリハビリが必要とされる身体部位毎に必要な運動量を定めたリハビリ計画情報を取得するリハビリ計画情報取得ステップと、
前記複数の前記活動イベントの情報の中から前記リハビリ対象者により選択された前記活動イベントの情報を含む前記セットと前記リハビリ計画情報とに基づいて、前記リハビリ計画情報に含まれる前記運動量が前記選択された前記セットの前記活動イベントによってどの程度実現されるかを表示するための表示用情報を生成して出力する制御ステップと、を実行させるためのリハビリ支援プログラム。
【発明の詳細な説明】
【技術分野】
【０００１】
本発明は、リハビリ支援装置、リハビリ支援方法、及びリハビリ支援プログラムに関する。
【背景技術】
【０００２】
リハビリテーション（以下、リハビリという）は、病気、外傷等が原因で心身の機能と構造の障害と生活上の支障が生じたときに、それらの改善を促すために行われる。このため、病院などにおいては、患者と理学療法士等の医療従事者が、共働してリハビリの計画と実行に関わり合う必要がある。
【０００３】
特許文献１には、リハビリ計画データを患者毎に対応付けて記憶しておき、患者がリハビリ義具装置を使った場合に生成されるリハビリ実行データを取得し、このリハビリ実行データとリハビリ計画データとの比較によって、患者のリハビリの達成状況を把握することのできるリハビリ管理装置が開示されている。
【先行技術文献】
【特許文献】
【０００４】
【特許文献１】特開２０１３−１６１３１５号公報
【発明の概要】
【発明が解決しようとする課題】
【０００５】
長期間リハビリが必要な人にとって、医療機関だけでは十分な施術効果を得ることはできない。そのため、医療機関以外の自宅などの場所において自主的にリハビリを行うことが重要となる。しかし、一般的なリハビリの計画は、医療機関において作成されるものであり、その内容は、ストレッチの方法や筋肉トレーニングの方法といった面白みのない内容となってしまう。そのため、患者によるリハビリの継続意欲を高めることが難しいという課題がある。特許文献１に記載の装置は、リハビリの達成状況の把握を行うことはできるが、リハビリの継続意欲を高めることのできるリハビリ計画を生成することについては考慮していない。
【０００６】
本発明の目的は、リハビリの継続意欲を高めることのできるリハビリ計画を生成することを可能として継続的なリハビリを支援するリハビリ支援装置、リハビリ支援方法、及びリハビリ支援プログラムを提供することにある。
【課題を解決するための手段】
【０００７】
（１）  予め決められた活動イベントの情報と、前記活動イベントを行った場合における複数の身体部位毎の運動量の情報と、を対応付けたセットを複数記憶する活動イベント情報データベースと、
リハビリ対象者におけるリハビリが必要とされる身体部位毎に必要な運動量を定めたリハビリ計画情報を取得するリハビリ計画情報取得部と、
前記複数の前記活動イベントの情報の中から前記リハビリ対象者により選択された前記活動イベントの情報を含む前記セットと前記リハビリ計画情報とに基づいて、前記リハビリ計画情報に含まれる前記運動量が前記選択された前記セットの前記活動イベントによってどの程度達成されるかを表示するための表示用情報を生成して出力する制御部と、を備えるリハビリ支援装置。
【０００８】
（１）によれば、リハビリ対象者は、活動イベントを選択すると、その活動イベントを行うことによってリハビリ計画情報に含まれる運動量がどの程度達成されるのかを、表示用情報に基づいて表示部に表示される情報によって確認することができる。リハビリ対象者は、自身のリハビリ計画情報に含まれる運動量が全て達成されるように活動イベントの選択を行うことで、例えば、自身の好きな活動イベントのみで構成された活動計画を立てることができる。リハビリ対象者は、この活動計画に沿って活動を行うだけで、リハビリをやらされているという感覚を持つことなく、自然とリハビリ計画を達成できるようになる。この結果、リハビリを継続的に行うことが可能となる。
【０００９】
（２）  （１）記載のリハビリ支援装置であって、
前記制御部は、前記表示用情報として、前記選択された前記セットの前記活動イベントによって前記リハビリ計画情報に含まれる前記身体部位毎の前記運動量がそれぞれどの程度達成されるか、を表示するための情報を生成するリハビリ支援装置。
【００１０】
（２）によれば、リハビリ対象者は、活動イベントを選択すると、その活動イベントを行うことによってリハビリ計画情報に含まれる身体部位毎の運動量がそれぞれどの程度達成されるのかを、表示部に表示される情報によって確認することができる。このため、どのように活動イベントを選択すればリハビリ計画を満たすことができるのかを把握しやすくなり、活動計画の生成を効率的に行うことができる。
【００１１】
（３）  （１）又は（２）記載のリハビリ支援装置であって、
前記活動イベントは、ウォーキング、ジョギング、ランニング、サイクリング、登山、旅行、スポーツ、又は通院リハビリであるリハビリ支援装置。
【００１２】
（４）  予め決められた活動イベントの情報と、前記活動イベントを行った場合における複数の身体部位毎の運動量の情報と、を対応付けたセットを複数記憶する活動イベント情報データベースにアクセス可能なコンピュータが、
リハビリ対象者におけるリハビリが必要とされる身体部位毎に必要な運動量を定めたリハビリ計画情報を取得するリハビリ計画情報取得ステップと、
前記複数の前記活動イベントの情報の中から前記リハビリ対象者により選択された前記活動イベントの情報を含む前記セットと前記リハビリ計画情報とに基づいて、前記リハビリ計画情報に含まれる前記運動量が前記選択された前記セットの前記活動イベントによってどの程度達成されるかを表示するための表示用情報を生成して出力する制御ステップと、を実行するリハビリ支援方法。
【００１３】
（５）  予め決められた活動イベントの情報と、前記活動イベントを行った場合における複数の身体部位毎の運動量の情報と、を対応付けたセットを複数記憶する活動イベント情報データベースにアクセス可能なコンピュータに、
リハビリ対象者におけるリハビリが必要とされる身体部位毎に必要な運動量を定めたリハビリ計画情報を取得するリハビリ計画情報取得ステップと、
前記複数の前記活動イベントの情報の中から前記リハビリ対象者により選択された前記活動イベントの情報を含む前記セットと前記リハビリ計画情報とに基づいて、前記リハビリ計画情報に含まれる前記運動量が前記選択された前記セットの前記活動イベントによってどの程度達成されるかを表示するための表示用情報を生成して出力する制御ステップと、を実行させるためのリハビリ支援プログラム。
【発明の効果】
【００１４】
本発明によれば、リハビリの継続意欲を高めることのできるリハビリ計画を生成することを可能として継続的なリハビリを支援するリハビリ支援装置、リハビリ支援方法、及びリハビリ支援プログラムを提供することができる。
【図面の簡単な説明】
【００１５】
【図１】リハビリ支援システム１００の概略構成例を示す図である。
【図２】図１に示す記憶部３２の活動イベント情報ＤＢ３２２に記憶される情報の一例を示す模式図である。
【図３】図１に示すリハビリ支援システム１００のサーバ３０におけるシステム制御部３１の機能ブロックを示す図である。
【図４】リハビリ計画情報が記憶部３２に登録済みの患者の利用する患者側端末１０からサーバ３０にアクセスした場合に患者側端末１０の表示部１１に表示される画面の一例を示す図である。
【図５】図４に示す画面１２においてアイコン１４Ｃが選択された場合に患者側端末１０の表示部１１に表示される画面の例を示す図である。
【図６】図４に示す画面１２においてアイコン１４Ｃが選択され、更に、アイコン１４Ｃの右隣の入力欄１５に“２”が入力された場合に患者側端末１０の表示部１１に表示される画面の例を示す図である。
【図７】図５に示す画面１２Ａにおいてアイコン１４Ｇが更に選択された場合に患者側端末１０の表示部１１に表示される画面の例を示す図である。
【図８】図７に示す画面１２Ｂにおいてアイコン１４Ｅが更に選択された場合に患者側端末１０の表示部１１に表示される画面の例を示す図である。
【図９】図８に示す画面１２Ｃにおいて“計画確定”ボタンが選択された場合に患者側端末１０の表示部１１に表示される画面の例を示す図である。
【図１０】図４に示す画面１２においてアイコン１４Ｃが選択された場合に患者側端末１０の表示部１１に表示される画面の変形例を示す図である。
【発明を実施するための形態】
【００１６】
（実施形態のリハビリ支援装置の概要）
実施形態のリハビリ支援装置は、例えば、病院やリハビリ専門施設等の医療施設において、医師又は理学療法士等によってリハビリ計画情報を作成されたリハビリ対象者が利用するものである。リハビリ計画情報は、リハビリ対象者におけるリハビリが必要とされる身体部位毎に必要な運動量を定めた情報である。例えば、１週間等の単位期間において、リハビリ対象者の特定部位（関節や筋肉）を動かすべき回数が決まると、その回数から、その特定部位での消費カロリーや運動強度（Ｍｅｔｓ）を概算することができる。このように概算された消費カロリーや運動強度を運動量と定義する。
【００１７】
また、リハビリ支援装置は、予め決められた活動イベントの情報と、この活動イベントを行った場合における複数の身体部位毎の運動量の情報と、を対応付けたセットを複数記憶する活動イベント情報データベースにアクセス可能に構成されている。活動イベントとは、ウォーキング、ジョギング、ランニング、サイクリング、登山、旅行、スポーツ、通院リハビリ、家事（掃除、料理、洗濯物干し等）を含む家での作業、草むしりや路上清掃等のボランティア活動、又は趣味（ヨガ、太極拳、ダンス、釣り、美術鑑賞、歌唱、音楽の演奏等）等である。スポーツとは、一定のルールに則って勝敗を競ったり、楽しみを求めたりする身体運動のことであり、例えばゴルフ等の球技を含む。通院リハビリとは、リハビリ対象者が自宅から医療施設に訪れ、医療施設においてリハビリを受けることをいう。
【００１８】
リハビリ支援装置は、リハビリ対象者のリハビリ計画情報を例えばデータベース等から取得する。そして、リハビリ支援装置は、活動イベント情報データベースに記憶されている複数の活動イベントの情報の中から、リハビリ対象者により選択された活動イベントの情報を含む上記セットと、取得したリハビリ計画情報とに基づいて、そのリハビリ計画情報に含まれる運動量が、リハビリ対象者により選択されたセットの活動イベントによってどの程度達成されるかを表示するための表示用情報を生成して表示部に出力する。詳細は後述するが、ここで生成される表示用情報は、例えば図５に示す画面を表示するための情報となる。図５は、リハビリ計画情報として、リハビリ対象者の膝、太もも、及び肩毎に必要な運動量が定められており、且つ、ウォーキングを３０分行うという活動イベントがリハビリ対象者により選択された例を示している。ウォーキングを３０分行うことにより、膝、太もも、及び肩のそれぞれが利用されて運動量が発生する。この運動量が、リハビリ計画情報において必要とされている各部位毎の目標の運動量に対してどの程度の割合となっているのかが、ゲージ１３Ａ、ゲージ１３Ｂ、及びゲージ１３Ｃにおけるハッチングを示す領域にて把握可能となっている。
【００１９】
リハビリ対象者が、図５に示す状態から更に別の活動イベントを選択することで、ゲージ１３Ａ、ゲージ１３Ｂ、及びゲージ１３Ｃにおけるハッチングを示す領域は増えていくことになる。リハビリ対象者は、ゲージ１３Ａ、ゲージ１３Ｂ、及びゲージ１３Ｃの各々がハッチングの領域によって満たされるようにすることで、例えば、自身の好きな活動イベントのみで構成された活動計画を立てることができる。リハビリ対象者は、この活動計画に沿って活動を行うだけで、リハビリをやらされているという感覚を持つことなく、自然とリハビリ計画を達成できるようになる。この結果、リハビリを継続的に行うことが可能となる。
【００２０】
（リハビリ支援システムの全体構成）
図１は、リハビリ支援システム１００の概略構成例を示す図である。図１に示すように、リハビリ支援システム１００は、サーバ３０と、インターネット等のネットワーク４０と、システムを利用する患者（リハビリ対象者）がネットワーク４０を介してサーバ３０にアクセスするために使用する患者側端末１０と、システムを利用する医療施設の関係者がネットワーク４０を介してサーバ３０にアクセスするために使用する医療施設側端末２０と、を備える。
【００２１】
患者側端末１０と医療施設側端末２０は、それぞれ、表示部を用いた情報の表示と、情報の入力を行うためのキーボード、マウス、又はタッチパネル等の操作インタフェースと、ネットワーク４０に接続するための通信インタフェースと、を含む電子機器であり、例えばスマートフォン、パーソナルコンピュータ、又はタブレット型端末等である。なお、図１では、患者側端末１０に含まれる表示部を符号１１にて示している。
【００２２】
サーバ３０は、システム制御部３１と、ハードディスク装置やＳＳＤ（Ｓｏｌｉｄ  Ｓｔａｔｅ  Ｄｒｉｖｅ）等の情報を記憶可能な装置からなる記憶部３２と、を備える。サーバ３０は、リハビリ支援装置を構成している。
【００２３】
システム制御部３１は、ＣＰＵ（Ｃｅｎｔｒａｌ  Ｐｒｏｃｅｓｓｉｎｇ  Ｕｎｉｔ）等のプロセッサ、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）等を含み、プログラムにしたがってシステム全体の統括制御等を行う。システム制御部３１のＲＯＭには、リハビリ支援プログラムを含むプログラムが記憶されている。
【００２４】
記憶部３２には、医療施設側端末２０から送信されてきた患者毎のリハビリ計画情報の集合であるリハビリ計画情報ＤＢ（データベース）３２３と、活動イベント情報ＤＢ３２２と、が記憶されている。
【００２５】
本システムにおいては、医療施設の医師等が、患者の診断を行い、その患者のリハビリ計画情報を作成する。そして、医療施設の関係者が、医療施設側端末２０を操作して、その患者のリハビリ計画情報をサーバ３０に送信すると、サーバ３０のシステム制御部３１が、受信したリハビリ計画情報を、患者の識別情報と対応付けてリハビリ計画情報ＤＢ３２３に記憶するようになっている。
【００２６】
なお、医師からリハビリ計画情報を作成された患者が、患者側端末１０を利用して自身の識別情報及びリハビリ計画情報をサーバ３０に送信することで、これらがリハビリ計画情報ＤＢ３２３に記憶される構成であってもよい。
【００２７】
リハビリ計画情報は、上述したように、患者におけるリハビリが必要とされる身体部位毎に必要な運動量を定めた情報である。リハビリ計画情報は、例えば、１週間等の単位期間において、膝については運動量Ｍ１が必要であり、太ももについては運動量Ｍ２が必要であり、肩については運動量Ｍ３が必要であることを定めた情報である。
【００２８】
活動イベント情報ＤＢ３２２には、上述したように、予め決められた活動イベントの情報と、この活動イベントを行った場合における複数の身体部位毎の運動量の情報とを対応付けたセットが複数記憶されている。
【００２９】
（活動イベント情報ＤＢ３２２に登録される情報の一例）
図２は、図１に示す記憶部３２の活動イベント情報ＤＢ３２２に記憶される情報の一例を示す模式図である。図２には、セットＳＴ１〜セットＳＴ７の７つのセットが示されている。
【００３０】
セットＳＴ１には、活動イベント種別として、サイクリングを１時間行うことを示す“サイクリング（１時間）”の情報が含まれている。また、セットＳＴ１には、リハビリを行う対象となり得る身体部位であるリハビリ対象部位として、手、腕、肩、膝、太もも、及び足首等の複数の情報が含まれている。更に、セットＳＴ１には、サイクリングを１時間行った場合に消費されると想定されるリハビリ対象部位毎の運動量の情報が含まれている。
【００３１】
セットＳＴ２には、活動イベント種別として、５００ｍ以上の高さの山を登ることを示す“登山（５００ｍ以上）”の情報が含まれている。また、セットＳＴ２には、リハビリ対象部位として、手、腕、肩、膝、太もも、及び足首等の複数の情報が含まれている。更に、セットＳＴ２には、５００ｍ以上の山の登山を行った場合に消費されると想定されるリハビリ対象部位毎の運動量の情報が含まれている。
【００３２】
セットＳＴ３には、活動イベント種別として、ウォーキングを３０分行うことを示す“ウォーキング（３０分）”の情報が含まれている。また、セットＳＴ３には、リハビリ対象部位として、手、腕、肩、膝、太もも、及び足首等の複数の情報が含まれている。更に、セットＳＴ３には、ウォーキングを３０分行った場合に消費されると想定されるリハビリ対象部位毎の運動量の情報が含まれている。
【００３３】
セットＳＴ４には、活動イベント種別として、システム管理者側が決めた計画で行う旅行に参加することを示す“〇〇ツアー”の情報が含まれている。また、セットＳＴ４には、リハビリ対象部位として、手、腕、肩、膝、太もも、及び足首等の複数の情報が含まれている。更に、セットＳＴ４には、活動イベント種別にて特定される旅行に参加した場合に消費されると想定されるリハビリ対象部位毎の運動量の情報が含まれている。
【００３４】
セットＳＴ５には、活動イベント種別として、通院リハビリを行うことを示す“通院リハ”の情報が含まれている。セットＳＴ５には、リハビリ対象部位として、手、腕、肩、膝、太もも、及び足首等の複数の情報が含まれている。更に、セットＳＴ５には、通院リハビリを行った場合に消費されると想定されるリハビリ対象部位毎の運動量の情報が含まれている。
【００３５】
セットＳＴ６には、活動イベント種別として、ゴルフを行うことを示す“ゴルフ”の情報が含まれている。セットＳＴ６には、リハビリ対象部位として、手、腕、肩、膝、太もも、及び足首等の複数の情報が含まれている。更に、セットＳＴ６には、ゴルフを行った場合に消費されると想定されるリハビリ対象部位毎の運動量の情報が含まれている。
【００３６】
セットＳＴ７には、活動イベント種別として、卓球を１時間行うことを示す“卓球（１時間）”の情報が含まれている。セットＳＴ７には、リハビリ対象部位として、手、腕、肩、膝、太もも、及び足首等の複数の情報が含まれている。更に、セットＳＴ７には、卓球を１時間行った場合に消費されると想定されるリハビリ対象部位毎の運動量の情報が含まれている。
【００３７】
なお、各セットに含まれるリハビリ対象部位毎の運動量は、患者の体重や年齢等によって変化し得る。そのため、セットＳＴ１〜ＳＴ７は、患者の識別情報毎に個別に生成されて、活動イベント情報ＤＢ３２２に記憶されていてもよい。
【００３８】
（サーバの制御部の機能）
図３は、図１に示すリハビリ支援システム１００のサーバ３０におけるシステム制御部３１の機能ブロックを示す図である。システム制御部３１のプロセッサは、ＲＯＭに記憶された上記のリハビリ支援プログラムを実行することにより、情報登録部３１１、リハビリ計画情報取得部３１２、及び制御部３１３として機能する。
【００３９】
情報登録部３１１は、医療施設側端末２０から、患者のリハビリ計画情報とその患者の識別情報が送信されてきた場合に、これらを対応付けてリハビリ計画情報ＤＢ３２３に記憶する。
【００４０】
リハビリ計画情報取得部３１２は、リハビリ計画情報ＤＢ３２３に登録されている任意の患者の識別情報にて特定される患者の使用する患者側端末１０から要求があると、この識別情報に対応するリハビリ計画情報を記憶部３２から取得する。
【００４１】
制御部３１３は、リハビリ計画情報取得部３１２により取得されたリハビリ計画情報と、活動イベント情報ＤＢ３２２に記憶されている情報と、に基づいて、例えば図４に示す画面を表示するための第一の表示用情報を生成して、要求のあった患者側端末１０に送信する。
【００４２】
図４は、リハビリ計画情報が記憶部３２に登録済みの患者の利用する患者側端末１０からサーバ３０にアクセスした場合に患者側端末１０の表示部１１に表示される画面の一例を示す図である。
【００４３】
図４に示す画面１２には、リハビリ計画情報に基づく画像が表示される第一領域１３と、活動イベント情報ＤＢ３２２に記憶されている情報に基づく画像が表示される第二領域１４と、が含まれる。図４では、リハビリ計画情報が、例えば、１週間における膝、太もも、及び肩の各身体部位に対する目標運動量を定めたものである場合の画面例を示している。また、リハビリ計画情報に含まれる膝の目標運動量は例えば１０００ｋｃａｌであり、リハビリ計画情報に含まれる太ももの目標運動量は例えば４００ｋｃａｌであり、リハビリ計画情報に含まれる肩の目標運動量は例えば１００ｋｃａｌとして説明する。
【００４４】
第一領域１３には、リハビリ計画情報に含まれる身体部位としての膝、太もも、及び肩の各々に対応するゲージ１３Ａ、ゲージ１３Ｂ、及びゲージ１３Ｃが表示されている。ゲージ１３Ａ、ゲージ１３Ｂ、及びゲージ１３Ｃは、それぞれに対応する計画上の目標運動量を１００として、その目標運動量の充足度を視覚化するためのものである。
【００４５】
第二領域１４には、活動イベント情報ＤＢ３２２に記憶されているセットＳＴ１〜ＳＴ７の各々に対応するアイコン１４Ａ〜１４Ｇと、回数を入力するための７つの入力欄１５と、が表示されている。
【００４６】
アイコン１４Ａは、セットＳＴ１の活動イベント種別を示すアイコンである。アイコン１４Ｂは、セットＳＴ２の活動イベント種別を示すアイコンである。アイコン１４Ｃは、セットＳＴ３の活動イベント種別を示すアイコンである。アイコン１４Ｄは、セットＳＴ４の活動イベント種別を示すアイコンである。アイコン１４Ｅは、セットＳＴ５の活動イベント種別を示すアイコンである。アイコン１４Ｆは、セットＳＴ６の活動イベント種別を示すアイコンである。アイコン１４Ｇは、セットＳＴ７の活動イベント種別を示すアイコンである。
【００４７】
アイコン１４Ａ〜アイコン１４Ｇの各々の右隣にある入力欄１５は、１以上の自然数を入力するためのものである。アイコン１４Ａ〜アイコン１４Ｇの各々は、例えばタッチ操作によって、“選択”及び“選択の解除”が可能となっている。任意のアイコンが選択されており、そのアイコンの右隣の入力欄１５に入力された数字が例えば“２”であれば、そのアイコンが“２”回選択されていることを意味する。
【００４８】
患者は、図４に示す画面１２が表示部１１に表示されると、画面１２の第二領域１４から任意のアイコンを選択して、自身のリハビリ計画情報に含まれる全ての目標運動量を達成することのできる活動イベントの組み合わせを決める。例えば、図４の状態から、患者がアイコン１４Ｃを選択した場合の動作を説明する。
【００４９】
患者がアイコン１４Ｃを選択すると、制御部３１３は、アイコン１４Ｃに対応するセットＳＴ３と、患者のリハビリ計画情報とに基づいて、そのリハビリ計画情報に含まれる全運動量が、選択されたセットＳＴ３に含まれる活動イベントによってどの程度達成されるかを表示するための第二の表示用情報を生成して、患者側端末１０に送信（出力）する。
【００５０】
図５は、図４に示す画面１２においてアイコン１４Ｃが選択された場合に患者側端末１０の表示部１１に表示される画面の例を示す図である。図５には、制御部３１３から送信されてきた第二の表示用情報に基づいて患者側端末１０の表示部１１に表示される画面１２Ａが示されている。
【００５１】
画面１２Ａにおいて、アイコン１４Ｃは、これが選択されていることが分かるよう太枠表示に変更されている。また、画面１２Ａにおいて、ゲージ１３Ａ、ゲージ１３Ｂ、及びゲージ１３Ｃの各々には、ハッチングを付したバーが表示されている。
【００５２】
ゲージ１３Ａに表示されたバーは、選択されたアイコン１４Ｃに対応するセットＳＴ３の活動イベントを利用者が行った場合に、膝に対応付けられている目標運動量のうちの何％が達成されるのかが、その長さによって示されたものである。セットＳＴ３に含まれる膝に対応する運動量が例えば２００ｋｃａｌであった場合には、セットＳＴ３の活動イベントを利用者が行った場合に、膝に対応付けられている目標運動量（１０００ｋｃａｌ）のうちの２０％が達成される。そこで、制御部３１３は、図５の画面１２Ａのゲージ１３Ａに、最大値（１００）の２０％の長さのバーを表示させる。
【００５３】
ゲージ１３Ｂに表示されたバーは、選択されたアイコン１４Ｃに対応するセットＳＴ３の活動イベントを利用者が行った場合に、太ももに対応付けられている目標運動量のうちの何％が達成されるのかが、その長さによって示されたものである。セットＳＴ３に含まれる太ももに対応する運動量が例えば２００ｋｃａｌであった場合には、セットＳＴ３の活動イベントを利用者が行った場合に、太ももに対応付けられている目標運動量（４００ｋｃａｌ）のうちの５０％が達成される。そこで、制御部３１３は、図５の画面１２Ａのゲージ１３Ｂに、最大値の５０％の長さのバーを表示させる。
【００５４】
ゲージ１３Ｃに表示されたバーは、選択されたアイコン１４Ｃに対応するセットＳＴ３の活動イベントを利用者が行った場合に、肩に対応付けられている目標運動量のうちの何％が達成されるのかが、その長さによって示されたものである。セットＳＴ３に含まれる肩に対応する運動量が例えば５０ｋｃａｌであった場合には、セットＳＴ３の活動イベントを利用者が行った場合に、肩に対応付けられている目標運動量（１００ｋｃａｌ）のうちの５０％が達成される。そこで、制御部３１３は、図５の画面１２Ａのゲージ１３Ｃに、最大値の５０％の長さのバーを表示させる。
【００５５】
図６は、図４に示す画面１２においてアイコン１４Ｃが選択され、更に、アイコン１４Ｃの右隣の入力欄１５に“２”が入力された場合に患者側端末１０の表示部１１に表示される画面の例を示す図である。図６には、制御部３１３から送信されてきた第二の表示用情報に基づいて患者側端末１０の表示部１１に表示される画面１２Ｅが示されている。
【００５６】
画面１２Ｅのゲージ１３Ａに表示されたバーは、選択されたアイコン１４Ｃに対応するセットＳＴ３の活動イベントを利用者が２回行った場合に、膝に対応付けられている目標運動量のうちの何％が達成されるのかが、その長さによって示されたものである。セットＳＴ３に含まれる膝に対応する運動量が例えば２００ｋｃａｌであった場合には、セットＳＴ３の活動イベントを利用者が２回行った場合に、膝に対応付けられている目標運動量（１０００ｋｃａｌ）のうちの４０％が達成される。そこで、制御部３１３は、図６の画面１２Ｅのゲージ１３Ａに、最大値の４０％の長さのバーを表示させる。
【００５７】
画面１２Ｅのゲージ１３Ｂに表示されたバーは、選択されたアイコン１４Ｃに対応するセットＳＴ３の活動イベントを利用者が２回行った場合に、太ももに対応付けられている目標運動量のうちの何％が達成されるのかが、その長さによって示されたものである。セットＳＴ３に含まれる太ももに対応する運動量が例えば２００ｋｃａｌであった場合には、セットＳＴ３の活動イベントを利用者が２回行った場合に、太ももに対応付けられている目標運動量（４００ｋｃａｌ）のうちの１００％が達成される。そこで、制御部３１３は、図６の画面１２Ｅのゲージ１３Ｂに、最大値の１００％の長さのバーを表示させる。
【００５８】
画面１２Ｅのゲージ１３Ｃに表示されたバーは、選択されたアイコン１４Ｃに対応するセットＳＴ３の活動イベントを利用者が２回行った場合に、肩に対応付けられている目標運動量のうちの何％が達成されるのかが、その長さによって示されたものである。セットＳＴ３に含まれる肩に対応する運動量が例えば５０ｋｃａｌであった場合には、セットＳＴ３の活動イベントを利用者が２回行った場合に、肩に対応付けられている目標運動量（１００ｋｃａｌ）のうちの１００％が達成される。そこで、制御部３１３は、図６の画面１２Ｅのゲージ１３Ｃに、最大値の１００％の長さのバーを表示させる。
【００５９】
次に、図５に示す画面１２Ａにおいて、患者がアイコン１４Ｇを選択すると、制御部３１３は、アイコン１４Ｇに対応するセットＳＴ７と、患者のリハビリ計画情報と、既に選択中のアイコン１４Ｃに対応するセットＳＴ３と、に基づいて、そのリハビリ計画情報に含まれる全運動量が、選択されたセットＳＴ３及びセットＳＴ７に含まれる活動イベントによってどの程度達成されるかを表示するための第二の表示用情報を生成して、患者側端末１０に送信（出力）する。
【００６０】
図７は、図５に示す画面１２Ａにおいてアイコン１４Ｇが更に選択された場合に患者側端末１０の表示部１１に表示される画面の例を示す図である。図７には、制御部３１３から送信されてきた第二の表示用情報に基づいて患者側端末１０の表示部１１に表示される画面１２Ｂが示されている。
【００６１】
画面１２Ｂにおいて、アイコン１４Ｇは、これが選択されていることが分かるよう太枠表示に変更されている。また、画面１２Ｂにおいて、ゲージ１３Ａ、ゲージ１３Ｂ、及びゲージ１３Ｃの各々には、図５とは異なるハッチングを付したバーが表示されている。
【００６２】
ゲージ１３Ａに表示された新たなバーは、選択されたアイコン１４Ｇに対応するセットＳＴ７の活動イベントを利用者が行った場合に、膝に対応付けられている目標運動量のうちの何％が達成されるのかが、その長さによって示されたものである。セットＳＴ７に含まれる膝に対応する運動量が例えば６００ｋｃａｌであった場合には、セットＳＴ７の活動イベントを利用者が行った場合に、膝に対応付けられている目標運動量（１０００ｋｃａｌ）のうちの６０％が達成される。そこで、制御部３１３は、図７の画面１２Ｂのゲージ１３Ａに、最大値の６０％の長さのバーを追加表示させる。
【００６３】
ゲージ１３Ｂに表示された新たなバーは、選択されたアイコン１４Ｇに対応するセットＳＴ７の活動イベントを利用者が行った場合に、太ももに対応付けられている目標運動量のうちの何％が達成されるのかが、その長さによって示されたものである。セットＳＴ７に含まれる太ももに対応する運動量が例えば２００ｋｃａｌであった場合には、セットＳＴ７の活動イベントを利用者が行った場合に、太ももに対応付けられている目標運動量（４００ｋｃａｌ）のうちの５０％が達成される。そこで、制御部３１３は、図７の画面１２Ｂのゲージ１３Ｂに、最大値の５０％の長さのバーを追加表示させる。なお、ゲージ１３Ａ、ゲージ１３Ｂ、及びゲージ１３Ｃの各々に表示されるバーは、その長さが最大でも各ゲージの長さと同じになるよう制御される。
【００６４】
ゲージ１３Ｃに表示された新たなバーは、選択されたアイコン１４Ｇに対応するセットＳＴ７の活動イベントを利用者が行った場合に、肩に対応付けられている目標運動量のうちの何％が達成されるのかが、その長さによって示されたものである。セットＳＴ７に含まれる肩に対応する運動量が例えば５０ｋｃａｌであった場合には、セットＳＴ７の活動イベントを利用者が行った場合に、肩に対応付けられている目標運動量（１００ｋｃａｌ）のうちの５０％が達成される。そこで、制御部３１３は、図７の画面１２Ｂのゲージ１３Ｃに、最大値の５０％の長さのバーを追加表示させる。
【００６５】
次に、図７に示す画面１２Ｂにおいて、患者がアイコン１４Ｅを選択すると、制御部３１３は、アイコン１４Ｅに対応するセットＳＴ５と、患者のリハビリ計画情報と、既に選択中のアイコン１４Ｃに対応するセットＳＴ３と、既に選択中のアイコン１４Ｇに対応するセットＳＴ７と、に基づいて、そのリハビリ計画情報に含まれる全運動量が、選択されたセットＳＴ３、ＳＴ５、及びＳＴ７に含まれる活動イベントによってどの程度達成されるかを表示するための第二の表示用情報を生成して、患者側端末１０に送信（出力）する。
【００６６】
図８は、図７に示す画面１２Ｂにおいてアイコン１４Ｅが更に選択された場合に患者側端末１０の表示部１１に表示される画面の例を示す図である。図８には、制御部３１３から送信されてきた第二の表示用情報に基づいて患者側端末１０の表示部１１に表示される画面１２Ｃが示されている。
【００６７】
画面１２Ｃにおいて、アイコン１４Ｅは、これが選択されていることが分かるよう太枠表示に変更されている。また、画面１２Ｃにおいて、ゲージ１３Ａには、図５及び図７とは異なるハッチングを付したバーが表示されている。
【００６８】
ゲージ１３Ａに表示された新たなバーは、選択されたアイコン１４Ｅに対応するセットＳＴ５の活動イベントを利用者が行った場合に、膝に対応付けられている目標運動量のうちの何％が達成されるのかが、その長さによって示されたものである。セットＳＴ５に含まれる膝に対応する運動量が例えば２００ｋｃａｌであった場合には、セットＳＴ５の活動イベントを利用者が行った場合に、膝に対応付けられている目標運動量（１０００ｋｃａｌ）のうちの２０％が達成される。そこで、制御部３１３は、図８の画面１２Ｃのゲージ１３Ａに、最大値の２０％の長さのバーを追加表示させる。
【００６９】
図８に示す画面１２Ｃでは、ゲージ１３Ａ、ゲージ１３Ｂ、及びゲージ１３Ｃが、それぞれバーによって埋められた状態となっている。つまり、患者によって選択された３つの活動イベントによって、その患者のリハビリ計画情報に含まれる総運動量を達成できる状態となっている。この状態になると、制御部３１３は、画面１２Ｃに“計画確定”ボタンを表示させ、更に、“リハ計画に相当する効果が見込める活動が全て選択されました。確定する場合は確定ボタンをおしてください”といったメッセージを表示させる。
【００７０】
患者が、画面１２Ｃに含まれる“計画確定”ボタンを選択すると、患者側端末１０からサーバ３０に確定要求が送信される。制御部３１３は、この確定要求を受けると、患者によって選択されたセットＳＴ３、ＳＴ５、及びＳＴ７に含まれる活動イベントの内容の一覧を表示するための第三の表示用情報を生成して、患者側端末１０に送信する。
【００７１】
図９は、図８に示す画面１２Ｃにおいて“計画確定”ボタンが選択された場合に患者側端末１０の表示部１１に表示される画面の例を示す図である。図９には、制御部３１３から送信されてきた第三の表示用情報に基づいて患者側端末１０の表示部１１に表示される画面１２Ｄが示されている。患者は、図９に示す画面１２Ｄを保存したり印刷したりするなどして保管しておき、この活動計画に沿って１週間を過ごすことになる。
【００７２】
（リハビリ支援システム１００の効果）
以上のように、リハビリ支援システム１００によれば、患者は、活動イベントを選択すると、その活動イベントを行うことによってリハビリ計画情報に含まれる運動量がどの程度達成されるのかを、第二の表示用情報に基づいて表示部１１に表示される画面（画面１２Ａ、１２Ｂ、１２Ｃ、１２Ｅ）によって確認することができる。患者は、自身のリハビリ計画情報に含まれる運動量が全て実現されるように活動イベントの選択を行うことで、例えば、自身の好きな活動イベントのみで構成された活動計画を立てることができる。患者は、この活動計画に沿って活動を行うだけで、リハビリをやらされているという感覚を持つことなく、自然とリハビリ計画を達成できるようになる。この結果、リハビリを継続的に行うことが可能となる。
【００７３】
また、リハビリ支援システム１００によれば、患者は、活動イベントを選択すると、その活動イベントを行うことによって、リハビリ計画情報に含まれる身体部位毎の運動量がそれぞれどの程度達成されるのかを、表示部１１に表示される各ゲージ１３Ａ，１３Ｂ，１３Ｃのバーによって確認することができる。このため、どのように活動イベントを選択すればリハビリ計画を満たすことができるのかを把握しやすくなり、活動計画の生成を効率的に行うことができる。
【００７４】
（リハビリ支援システム１００の変形例）
図１０は、図４に示す画面１２においてアイコン１４Ｃが選択された場合に患者側端末１０の表示部１１に表示される画面の変形例を示す図である。図１０には、制御部３１３から送信されてきた第二の表示用情報に基づいて患者側端末１０の表示部１１に表示される画面１２Ｆが示されている。
【００７５】
画面１２Ｆにおいて、アイコン１４Ｃは、これが選択されていることが分かるよう太枠表示に変更されている。また、画面１２Ｆの第一領域１３には、ゲージ１３Ｄが表示されている。ゲージ１３Ｄは、患者のリハビリ計画情報に含まれる運動量の積算値、すなわち総必要運動量を１００として、その総必要運動量の充足度を視覚化するためのものである。
【００７６】
ゲージ１３Ｃに表示されたバーは、選択されたアイコン１４Ｃに対応するセットＳＴ３の活動イベントを利用者が行った場合に、膝、太もも、及び肩の各々に対応する運動量の積算値のうちの何％が達成されるのかが、その長さによって示されたものである。セットＳＴ３に含まれる膝に対応する運動量が例えば２００ｋｃａｌであり、セットＳＴ３に含まれる太ももに対応する運動量が例えば１００ｋｃａｌであり、セットＳＴ３に含まれる肩に対応する運動量が例えば５０ｋｃａｌであった場合には、セットＳＴ３の活動イベントを利用者が行った場合に、総必要運動量（１３００ｋｃａｌ）のうちの約３０％が達成される。そこで、制御部３１３は、図９の画面１２Ｆのゲージ１３Ｄに、最大値の３０％の長さのバーを表示させる。
【００７７】
このように、リハビリ計画情報に含まれる総必要運動量に対して、選択した活動イベントで達成される運動量がどの程度になるかを、画面１２Ｆによって確認できるようにしてもよい。
【００７８】
以上の説明では、活動イベント情報ＤＢ３２２に記憶されるセットの数を７つとしているが、このセットの数は２つ以上であればよい。実際には、十個単位、百個単位といった大多数のセットが活動イベント情報ＤＢ３２２に記憶されることが好ましい。セットの数が多いほど、患者の選択肢を広げることができ、患者のリハビリ継続の意欲を高めることができる。
【００７９】
また、以上の説明では、患者が、例えば自宅等において患者側端末１０を操作して活動計画を生成するものとしたが、これに限らない。サーバ３０を医療施設に設置される装置とし、この装置に表示部を接続する。そして、患者が医療施設にて装置を直接操作して活動イベントの選択を行い、その操作に応じて表示部に表示される画面が図４から図１０に示したように変化するようにしてもよい。
【符号の説明】
【００８０】
１００  リハビリ支援システム
１０  患者側端末
１１  表示部
１２、１２Ａ〜１２Ｆ  画面
１３  第一領域
１３Ａ、１３Ｂ、１３Ｃ、１３Ｄ  ゲージ
１４  第二領域
１４Ａ〜１４Ｇ  アイコン
１５  入力欄
２０  医療施設側端末
３０  サーバ
３１  システム制御部
３１１  情報登録部
３１２  リハビリ計画情報取得部
３１３  制御部
３２  記憶部
３２２  活動イベント情報ＤＢ
３２３  リハビリ計画情報ＤＢ
ＳＴ１〜ＳＴ７  セット
【図１】
2020149321.tif 000003
【図２】
2020149321.tif 000004
【図３】
2020149321.tif 000005
【図４】
2020149321.tif 000006
【図５】
2020149321.tif 000007
【図６】
2020149321.tif 000008
【図７】
2020149321.tif 000009
【図８】
2020149321.tif 000010
【図９】
2020149321.tif 000011
【図１０】
2020149321.tif 000012